(57)【要約】      （修正有）【課題】コンテンツ提供者からの許諾を前提として、１枚のＣＡＳカードにより２台以上の受信装置でストリームコンテンツを視聴できる技術を提供する。【解決手段】受信装置を２台用いた受信システムにおいて、第１の受信装置は、ＣＡＳカードスロットを有しており、第２の受信装置は、ＣＡＳカードスロットを有していない。第１の受信装置は、情報を一時的に蓄積するバッファ３５を備えている。第１の受信装置にＣＡＳカード５が挿入されると、制御部２５からデスクランブラ１５に対して解読キーＫＥＹ１が渡され、暗号化ストリームコンテンツが解読される。第２の受信装置においては、第２の受信装置がＣＡＳカード５に対応している場合にのみ、デスクランブラ１５ａにＣＡＳカード５の解読キーＫＥＹ１が渡され、暗号化ストリームコンテンツを解読することができる。【選択図】図２
2007104074.tif 000002
【特許請求の範囲】
【請求項１】
ストリームコンテンツソースに基づいて、ストリームコンテンツを出力するストリームコンテンツ受信システムであって、
ＣＡＳカードインターフェイスを備え、該ＣＡＳカードに格納されている暗号解読キーにより暗号化ストリームコンテンツを解読可能な第１のストリームコンテンツ受信装置と、
第２のストリームコンテンツ受信装置と、を有し、
前記第１のストリームコンテンツ受信装置は、暗号化された前記ストリームコンテンツを一時的に蓄積するバッファと、暗号を解読する第１のデスクランブラと、多重化された信号を映像信号と音声信号とに分離する第１のデマルチプレクサと、映像信号と音声信号とのデコードと出力とを行なう第１の映像音声デコーダと、を有しており、
前記第２のストリームコンテンツ受信装置は、暗号化された前記ストリームコンテンツの暗号を解読する第２のデスクランブラと、多重化された信号を映像信号と音声信号とに分離する第２のデマルチプレクサと、映像信号と音声信号とのデコードと出力とを行なう第２の映像音声デコーダと、を有しており、前記ストリームコンテンツソースからの信号が前記バッファと前記第２のデスクランブラとにそれぞれ入力されるように構成され、
前記バッファに蓄積された入力信号に基づく情報を前記第１のデスクランブラと前記ＣＡＳカードとにより解読して得られる前記ＣＡＳカードに格納される暗号化コンテンツ解読キーが前記第２のデスクランブラに渡され、該暗号化コンテンツ解読キーに基づいて、前記第２のデスクランブラに入力された暗号化ストリームコンテンツを解読する制御が行なわれることを特徴とするストリームコンテンツ受信システム。
【請求項２】
前記第２のストリームコンテンツ受信装置はＣＡＳカードインターフェイスを備えていないことを特徴とする請求項１に記載のストリームコンテンツ受信システム。
【請求項３】
前記第２のストリームコンテンツ受信装置はＣＡＳカードインターフェイスを備えており、前記暗号化コンテンツ解読キーに基づいて、前記第２のデスクランブラに入力された暗号化ストリームコンテンツを解読する制御は、前記第２のストリームコンテンツ受信装置のＣＡＳカードインターフェイスにＣＡＳカードが差し込まれていない状態で行なわれることを特徴とする請求項１に記載のストリームコンテンツ受信システム。
【請求項４】
ストリームコンテンツソースに基づいて、ストリームコンテンツを出力するストリームコンテンツ受信装置であって、
ＣＡＳカードインターフェイスとを備え、
暗号化された前記ストリームコンテンツを一時的に蓄積するバッファと、
暗号を解読する第１のデスクランブラと、
多重化された信号を映像信号と音声信号とに分離する第１のデマルチプレクサと、
映像信号と音声信号とのデコードと出力とを行なう第１の映像音声デコーダと、
前記バッファに蓄積された入力信号に基づく情報を前記第１のデスクランブラと前記ＣＡＳカードとにより解読して得られる前記ＣＡＳカードに格納される暗号化コンテンツ解読キーを第２のストリームコンテンツ受信装置に渡す制御を行なうことを特徴とするストリームコンテンツ受信装置。
【請求項５】
ＣＡＳカードインターフェイスを備え、該ＣＡＳカードに格納されている暗号解読キーにより暗号化ストリームコンテンツを解読可能な第１のストリームコンテンツ受信装置と、第２のストリームコンテンツ受信装置と、を備えるストリームコンテンツ受信システムにおけるストリームコンテンツ受信方法であって、
暗号化された前記ストリームコンテンツを一時的に蓄積するステップと、
前記蓄積された入力信号に基づく情報を前記暗号解読キーにより解読し、得られた暗号解読キーを前記第２のストリームコンテンツ受信装置のデスクランブラに渡し、該暗号化コンテンツ解読キーに基づいて、前記デスクランブラに入力される暗号化ストリームコンテンツを解読するステップと
を有することを特徴とするストリームコンテンツ受信方法。
【発明の詳細な説明】
【技術分野】
【０００１】
本発明は、ストリームコンテンツ受信システムに関し、特に、暗号化されたストリームコンテンツをＣＡＳにより復号する受信装置を含む複数のコンテンツ受信システムに関する。
【背景技術】
【０００２】
近年、コンテンツの著作権保護のためにＣＡＳ（ｃｏｎｄｉｔｉｏｎａｌ  ａｃｃｅｓｓ  ｓｙｓｔｅｍ）カードが多く用いられている（例えば特許文献１参照）。このＣＡＳカードは、１つの受信装置でのみ利用することができるようになっている。図５から図７までは、ＣＡＳを用いた一般的なコンテンツ受信システムを説明するための図であり、図５は主要部の機能ブロック図であり、図６は主要部の処理の流れを示すフローチャート図であり、図７はシステム構成の概略を示す図である。図５に示すように、ＣＡＳを備えたストリームコンテンツ受信装置１００では、チューナにより選択された暗号化ストリームコンテンツの信号入力をデスクランブラ１０１で解読し、ＤＥＭＵＸ１０３で多重化されたストリームコンテンツを分離し、映像音声デコーダ１０５により復号して出力する。これらの処理は、制御部１０７により制御されており、ＤＥＭＵＸ１０３からの制御信号とＣＡＳに格納されている情報とに基づいて提供される、暗号されたストリームコンテンツを解読するための鍵によりストリームコンテンツの解読を行なう。すなわち、図６に示すように、ステップＳ１０１において伝送ストリームコンテンツを受信し、ステップ１０２においてＥＣＭ（暗号鍵）フィルタリングを行なう。ステップＳ１０３においてＥＣＭのデコードを行ない、ステップＳ１０４において暗号鍵を取り出す。
【０００３】
【特許文献１】特開２００３−３１９３６２号公報
【発明の開示】
【発明が解決しようとする課題】
【０００４】
図７（Ａ）は、１枚のＣＡＳカードを用いて、暗号化されているストリームコンテンツを２台のストリームコンテンツ受信装置１３１、１４１において受信しようとした場合のシステム構成例を示す図である。２台のストリームコンテンツ受信装置１３１、１４１には、それぞれチューナー１３３、１４３が設けられており、また、ＣＡＳカードの挿入口１３５、１４５もそれぞれ設けられている。そして、入力信号が分配器１２１により分岐されて、２台のストリームコンテンツ受信装置１３１、１４１のそれぞれに配信されるようになる。
【０００５】
しかしながら、ＣＡＳカードが１枚しかない場合には、両方のＣＡＳカードの挿入口１３５、１４５にそれぞれＣＡＳカードを入れることができないため、両方のストリームコンテンツ受信装置１３１、１４１での受信はできない。
【０００６】
図７（Ｂ）は、２台のストリームコンテンツ受信装置１５１、１６１のうち１台のみにＣＡＳカードの挿入口１６５があり、一方の受信装置１６１にＣＡＳカードを挿入した様子を示す図である。この場合も、暗号化されたストリームコンテンツを解読するための鍵は受信装置１５１には提供されないため、チューナ１５３、１６３により選局されたストリームコンテンツを２台の受信装置１５１、１６１において聴することはできない。
【０００７】
本発明の目的は、コンテンツ提供者からの許諾を前提として、１枚のＣＡＳカードにより２台以上の受信装置でストリームコンテンツを視聴できる技術を提供することを目的とする。
【課題を解決するための手段】
【０００８】
本発明の一観点によれば、ストリームコンテンツソースに基づいて、ストリームコンテンツを出力するストリームコンテンツ受信システムであって、ＣＡＳカードインターフェイスを備え、該ＣＡＳカードに格納されている暗号解読キーにより暗号化ストリームコンテンツを解読可能な第１のストリームコンテンツ受信装置と、第２のストリームコンテンツ受信装置と、を有し、前記第１のストリームコンテンツ受信装置は、暗号化された前記ストリームコンテンツを一時的に蓄積するバッファと、暗号を解読する第１のデスクランブラと、多重化された信号を映像信号と音声信号とに分離する第１のデマルチプレクサと、映像信号と音声信号とのデコードと出力とを行なう第１の映像音声デコーダと、を有しており、前記第２のストリームコンテンツ受信装置は、暗号化された前記ストリームコンテンツの暗号を解読する第２のデスクランブラと、多重化された信号を映像信号と音声信号とに分離する第２のデマルチプレクサと、映像信号と音声信号とのデコードと出力とを行なう第２の映像音声デコーダと、を有しており、前記ストリームコンテンツソースからの信号が前記バッファと前記第２のデスクランブラとにそれぞれ入力されるように構成され、前記バッファに蓄積された入力信号に基づく情報を前記第１のデスクランブラと前記ＣＡＳカードとにより解読して得られる前記ＣＡＳカードに格納される暗号化コンテンツ解読キーが前記第２のデスクランブラに渡され、該暗号化コンテンツ解読キーに基づいて、前記第２のデスクランブラに入力された暗号化ストリームコンテンツを解読する制御が行なわれることを特徴とするストリームコンテンツ受信システム。
【０００９】
前記バッファに蓄積された入力信号に基づく情報を同じく前記ＣＡＳカードにより解読し、該第２のストリームコンテンツ受信装置が前記ＣＡＳカードに対応しているか否かに基づいて、前記第２のストリームコンテンツ受信装置が前記ＣＡＳカードに対応している場合にのみ、前記第２のデスクランブラに前記ＣＡＳカードに格納される暗号化コンテンツ解読キーが渡され、該暗号化コンテンツ解読キーに基づいて、前記第２のデスクランブラに入力された暗号化ストリームコンテンツを解読する制御が行なわれる。
【００１０】
本発明の他の観点によれば、ＣＡＳカードインターフェイスを備え、該ＣＡＳカードに格納されている暗号解読キーにより暗号化ストリームコンテンツを解読可能な第１のストリームコンテンツ受信装置と、第２のストリームコンテンツ受信装置と、を備えるストリームコンテンツ受信システムにおけるストリームコンテンツ受信方法であって、暗号化された前記ストリームコンテンツを一時的に蓄積するステップと、前記蓄積された入力信号に基づく情報を前記暗号解読キーにより解読し、得られた暗号解読キーを前記第２のストリームコンテンツ受信装置のデスクランブラに渡し、該暗号化コンテンツ解読キーに基づいて、前記デスクランブラに入力される暗号化ストリームコンテンツを解読するステップとを有することを特徴とするストリームコンテンツ受信方法が提供される。
【発明の効果】
【００１１】
２以上の受信装置を備えている場合であって一方の受信装置にのみＣＡＳカードを入れることができる状況において、両方の受信装置においてストリームコンテンツに基づくコンテンツの提供を受けることができる。この場合には、ＣＡＳカードによる利用許諾に基づく使用であるため、視聴に関する問題がない。
【発明を実施するための最良の形態】
【００１２】
以下に、本発明の一実施の形態によるストリームコンテンツ受信システムについて図面を参照しつつ説明を行なう。図１は、本実施の形態によるストリームコンテンツ受信装置の一構成例を示す機能ブロック図である。図２は、本実施の形態によるストリームコンテンツ受信システムの構成例を示す図である。図３は、処理の流れを時系列的に示す図である。
【００１３】
図１に示すように、本実施の形態によるストリームコンテンツ受信装置Ａは、受信機１と、リモコン/キーボードなどの操作部３と、ＩＣカード（ＣＡＳカード）５と、を有している。受信機１は、放送信号入力を受けて、必要な放送信号の受信と選択とを行ない、伝送信号のパケット処理、エラー訂正処理を行なうチューナ部１１と、特定パケットのデスクランブルを行なうデスクランブラ１５と、ＴＳ多重された信号から必要なパケットを分離し、放送番組信号の選択、各種多重データ（各種ＳＩデータ、ＥＣＭ、ＥＭＭ）の分離を行なうＤＥＭＵＸ部１７と、映像音声のデコードを行ない、モニタに出力する映像音声デコード部２１と、表示部３１と、ユーザからの入力としてリモコンキーまたはキーボード３の入力処理を行なうキー入力部２７と、受信機全体の制御を行なう制御部２５と、公衆回線とのインターフェイスを形成する電話モデム２３と、を有している。
【００１４】
ＩＣカード５は、受信機１に装着可能とされ、受信機１の制御部２５と通信を行なう。制御部２５は、受信機１のＣＡＳシステムの中核をなす処理を行ない、受信した暗号化ＥＭＭの復号と、契約データ管理、暗号化ＥＣＭの復号と有料放送の視聴制御処理、視聴履歴管理処理、視聴履歴情報の有料事業体への伝送、暗号化ＥＭＭメッセージの復号等を行なう。
【００１５】
図２は、図１に示す受信装置を２台用いた受信システムの構成例を示す図である。モニタ出力１を出力する第１の受信装置は、ＣＡＳカードスロットを有しており、モニタ出力２を出力する第２の受信装置は、ＣＡＳカードスロットを有していない場合を想定する。第１の受信装置は、図５に示す一般的な受信装置に加えて、図示しない入力側のチューナとデスクランブラ１５との間に選局された情報を一時的に蓄積するバッファメモリ３５を備えている。また、第２の受信装置は、チューナからの入力がバッファ３５を介さずにデスクランブラ１５ａに入力されるように構成されている。
【００１６】
伝送ストリームを受信し（図３：Ｓ１）受信装置にＣＡＳカード５が挿入されると、制御部２５は、ＥＣＭフィルタリング（Ｓ６）、ＥＣＭデコード（Ｓ７）を行い、ＣＡＳカード５から取得した情報に基づいて制御部２５からデスクランブラ１５に対して解読キーＫＥＹ１を渡すように制御し（Ｓ８）、この解読キーＫＥＹ１に基づいて、入力された暗号化ストリームコンテンツが解読され、ＤＥＭＵＸ１７と映像・音声出力部２１とを介してモニタ出力１からストリームコンテンツが出力される。
【００１７】
一方、第２の受信装置においては、バッファ３５に蓄積された入力信号に基づく情報を同じくＣＡＳカード５により解読し、第２の受信装置がＣＡＳカード５に対応しているか否かを判断する（図３：Ｓ２）。この判断に基づいて、第２の受信装置がＣＡＳカード５に対応している場合にのみ、第１の受信装置と同様の処理が行われ（Ｓ３、Ｓ４）、システム２のデスクランブラ１５ａにＣＡＳカード５の解読キーＫＥＹ２が渡されることになる（Ｓ５）。この解読キーＫＥＹ２に基づいて、デスクランブラ１５ａに入力された暗号化ストリームコンテンツを解読することができる。解読されたコンテンツはＤＥＭＵＸ１７ａと映像・音声出力部２１ａとを介してモニタ出力端子２から出力される。
【００１８】
このように、第１の受信装置と第２の受信装置との入力の分岐点と第１の受信装置のデスクランブラ１５との間に、ある期間ｔｂだけデータ出力を遅延するバッファ３５を設けると、図４に示すように、受信装置１によるストリームコンテンツの出力と受信装置２によるストリームコンテンツの出力との間にはバッファ３５に蓄積された情報に関する処理に起因する遅延ｔｂが生じるが、元々ｔｂは短いため、実際にはほとんど無視できる時間である。
【００１９】
以上に説明したように、ストリームコンテンツ受信システムにおいて、１枚のＣＡＳカードのみで２台の受信装置でストリームコンテンツを視聴することができるという利点がある。また、一方の受信装置にＣＡＳカードが設けられていなくても、同じ入力系から追加のＶＡＳカードなしにストリームコンテンツを受信することができる。
【００２０】
以上に説明したように、本実施の形態によるストリームコンテンツ受信システムにおいては、２以上の受信装置を備えている場合であって一方の受信装置にのみＣＡＳカードを入れることができる状況において、両方の受信装置においてストリームコンテンツに基づくコンテンツの提供を受けることができる。この場合には、ＣＡＳカードによる利用許諾に基づく使用であるため、視聴に関する問題がない。
【産業上の利用可能性】
【００２１】
本発明は、視聴にＩＣカードを必要とするストリームコンテンツを２以上の受信装置で視聴する場合であって、一方の装置のみに暗号解読用のＣＡＳカードが入れられる場合に、利用可能である。
【図面の簡単な説明】
【００２２】
【図１】本発明の実施の形態によるストリームコンテンツ受信装置の一構成例を示す機能ブロック図である。
【図２】本実施の形態によるストリームコンテンツ受信システムの構成例を示す図である。
【図３】本実施の形態によるストリームコンテンツ受信システムにおける主要部の処理の流れを時系列的に示す図である。
【図４】第１の受信装置によるストリームコンテンツの出力と第２の受信装置によるストリームコンテンツの出力との時間変化を示す図である。
【図５】一般的なストリームコンテンツ受信装置の主要部の機能ブロック図である。
【図６】一般的なストリームコンテンツ受信装置の主要部の処理の流れを示すフローチャート図である。
【図７】一般的なストリームコンテンツ受信装置のシステム構成の概略を示す図である。
【符号の説明】
【００２３】
Ａ…ストリームコンテンツ受信装置、１…受信機、３…操作部、５…ＩＣカード（ＣＡＳカード）、１５…デスクランブラ、１７…ＤＥＭＵＸ部、２１…映像音声デコード部、２３…電話モデム、２５…制御部、２７…キー入力部、３１…表示部、３５…バッファ。
【図１】
2007104074.tif 000003
【図２】
2007104074.tif 000004
【図３】
2007104074.tif 000005
【図４】
2007104074.tif 000006
【図５】
2007104074.tif 000007
【図６】
2007104074.tif 000008
【図７】
2007104074.tif 000009